(57)【要約】【課題】人工歯を使用して、簡単かつ容易に、しかも安価に能率よく架工義歯を製作する。【解決手段】架工義歯の橋体部に使用される人工歯は、表面を歯形状に成形している表層部２と、この表層部２に分離できるように連結されると共に、加熱して消失できる消失材料で成形してなる基底部３とを備える。架工義歯の製造方法は、表面を歯形状に成形している表層部２に、加熱して消失できる消失材料で成形してなる基底部３を分離できるように連結して架工義歯４の橋体部５となる人工歯１を製作する工程と、人工歯１の基底部３に、消失材料でもって支持台に連結される支台装置６を連結して設ける消失模型９を製作する工程と、消失模型９から表層部２を分離して、表層部２の分離された消失模型９に金属を鋳造して金属フレーム７を製作する工程と、金属フレーム７に表層部２を固定する工程とからなる。【選択図】  図５
2004148007.tif 000002
【特許請求の範囲】
【請求項１】
表面を歯形状に成形している表層部（２）と、この表層部（２）に分離できるように連結されると共に、加熱して消失できる消失材料で成形してなる基底部（３）とを備える架工義歯の橋体部に使用される人工歯。
【請求項２】
表層部（２）が、５０重量％以上の無機充填物を含む合成樹脂の成形体である請求項１に記載される架工義歯の橋体部に使用される人工歯。
【請求項３】
表層部（２）がセラミックの成形体である請求項１に記載される架工義歯の橋体部に使用される人工歯。
【請求項４】
基底部（３）を多層構造としている請求項１に記載される架工義歯の橋体部に使用される人工歯。
【請求項５】
表層部（２）と基底部（３）との脱着連結面を凹凸面（８）としている請求項１に記載される架工義歯の橋体部に使用される人工歯。
【請求項６】
表面を歯形状に成形している表層部（２）に、加熱して消失できる消失材料で成形してなる基底部（３）と分離できるように連結して架工義歯（４）の橋体部（５）となる人工歯（１）を製作する工程と、人工歯（１）の基底部（３）に、消失材料でもって支台歯（１１）に連結される支台装置（６）を連結して設ける消失模型（９）を製作する工程と、消失模型（９）から表層部（２）を分離して、表層部（２）の分離された消失模型（９）に金属を鋳造して金属フレーム（７）を製作する工程と、金属フレーム（７）に表層部（２）を固定する工程とからなる架工義歯の製造方法。
【請求項７】
人工歯（１）の表層部（２）を、５０重量％以上の無機充填物を含む合成樹脂で製作する請求項６に記載される架工義歯の製造方法。
【請求項８】
人工歯（１）の表層部（２）を、セラミックの成形体で製作する請求項６に記載される架工義歯の製造方法。
【請求項９】
人工歯（１）の表層部（２）と基底部（３）との脱着連結面を凹凸面（８）とする請求項６に記載される架工義歯の製造方法。
【請求項１０】
人工歯（１）である橋体部（５）の両側に、消失材料でもって支台装置（６）を設ける請求項６に記載される架工義歯の製造方法。
【発明の詳細な説明】
【０００１】
【発明の属する技術分野】
本発明は、架工義歯の橋体部に使用される人工歯と、この人工歯を使用する架工義歯の製造方法に関する。
【０００２】
【従来の技術】
従来の架工義歯は、以下の工程で製作している。
（１）  歯科医が、患者の歯形に合わせて模型を製作する。架工義歯を製作する模型１０は、図１に示すように、支台歯１１の間に歯のない部分があるので、ここに橋体部５の歯を製作する。
（２）  消失材料である蝋を使用して、図２に示すように、架工義歯の消失模型９を製作する。消失模型９の支台装置６は、模型１０上の支台歯１１に合わせて作られる。支台装置６に挟まれた欠損部分を補う橋体部５の製作は、基礎となる支台歯１１がないので、製作者は独自な形態で橋体部５を製作する。このため、橋体部５の形態は、製作者の意思に左右されることになる。さらに、消失模型９は、表面に合成樹脂やセラミック等を付着するためのスペースを設けている。
（３）  消失模型９を使用して、金属の鋳造用の鋳型を製作する。鋳型は、消失模型９の周囲を未硬化の状態ではペースト状をしている耐熱成形材で被覆して製作される。製作された耐熱成形材は、これを硬化させた後、加熱して消失材料で成形している消失模型９を消失させる。この状態で鋳型の内部に、消失模型９と同じ成形室ができる。
（４）  鋳型に、加熱して溶融状態となった金属を注入して、金属フレーム７を製作する。
（５）  金属フレーム７に、スペース１４として設けていた部分に、図３の鎖線で示すように、合成樹脂やセラミックを盛り付けて、架工義歯を完成する。
【０００３】
【発明が解決しようとする課題】
以上のようにして製作される架工義歯は、消失模型の作成者により外観形態にばらつきが発生する。さらに、何も無い部分に橋体部の消失模型を製作するので、高度な加工技術に加えて、製作に時間がかかる欠点がある。橋体部として、既製の有床義歯用の人工陶歯を用いてシェルを作成しそれを用いた方法、あるいは既製のシェルを使った方法なども考えられる。しかしながら、人工陶歯を使用する方法では、形態の修正が極めて難しい欠点がある。また、このように既成の人工陶歯やシェルを使用するにしても、フレーム部分の製作は従来と同じように蝋などの消失材料を使用して製作する必要があって、製作に手間がかかる欠点がある。
【０００４】
本発明は、このような欠点を解決することを目的に開発されたものである。本発明の重要な目的は、簡単かつ容易に、しかも安価に能率よく架工義歯を製作できる人工歯と、この人工歯を使用する架工義歯の製造方法を提供することにある。
【０００５】
【課題を解決するための手段】
本発明の架工義歯の橋体部に使用される人工歯は、表面を歯形状に成形している表層部２と、この表層部２に分離できるように連結されると共に、加熱して消失できる消失材料で成形してなる基底部３とを備える。
【０００６】
表層部２は、５０重量％以上の無機充填物を含む合成樹脂の成形体とすることができる。さらに、表層部２は、セラミックの成形体とすることもできる。基底部３は、多層構造とすることができる。さらに、人工歯は、表層部２と基底部３との脱着連結面を凹凸面８とすることができる。
【０００７】
さらに、本発明の請求項６の架工義歯の製造方法は、表面を歯形状に成形している表層部２に、加熱して消失できる消失材料で成形してなる基底部３を分離できるように連結して架工義歯の橋体部５となる人工歯を製作する工程と、人工歯の基底部３に、消失材料でもって支持台に連結される支台装置６を連結して設ける消失模型９を製作する工程と、消失模型９から表層部２を分離して、表層部２の分離された消失模型９に金属を鋳造して金属フレーム７を製作する工程と、金属フレーム７に表層部２を固定する工程とからなる。
【０００８】
人工歯の表層部２は、５０重量％以上の無機充填物を含む合成樹脂で製作することも、セラミックの成形体で製作することもできる。人工歯の表層部２と基底部３との脱着連結面を凹凸面８とすることができる。人工歯である橋体部５の両側に、消失材料でもって支台装置６を設けることができる。
【０００９】
【発明の実施の形態】
以下、本発明の実施例を図面に基づいて説明する。ただし、以下に示す実施例は、本発明の技術思想を具体化するための人工歯と架工義歯の製造方法を例示するものであって、本発明は人工歯と架工義歯の製造方法を下記のものに特定しない。
【００１０】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図４と図５に示す人工歯１は、図６に示す架工義歯４の橋体部５に使用されるものであって、互いに分離できるように連結している表層部２と基底部３とを備える。表層部２は、完成された架工義歯４の橋体部５の表面を構成する。したがって、表層部２は、その表面を橋体部５となる歯の表面形状に成形している。表層部２は、５０重量％以上の無機充填物を含む合成樹脂を成形して製作される合成樹脂の成形体、あるいは、セラミックの成形体である。合成樹脂やセラミック製の表層部２は、天然歯の表面色に近い色に着色している。合成樹脂やセラミック製の表層部２は、完成された架工義歯４の状態で、図７に示すように、その裏面に金属フレーム７が接着される。表層部２は、裏面の金属フレーム７によって表面の色が着色されない程度に厚く成形される。表層部２が薄すぎると、裏面の金属フレーム７が透けて表面色が天然歯と異なる色となる。このため、裏面の金属フレーム７が透けて見えない厚さに成形される。ただ、表層部２に充填される無機充填材が裏面の金属フレーム７が透けて見えるのを防止するので、充填材の充填量を多くして、薄い表層部２で金属フレーム７が透けて見えるのを防止することができる。
【００１２】
基底部３は、加熱して消失できる蝋等の消失材料で成形される。人工歯１は、基底部３を表層部２に連結する状態で、架工義歯４の橋体部５の形状に成形される。架工義歯４の橋体部５の形状は、歯によって異なり、また患者によっても多少は異なる。異なる患者に対応するために、基底部３を多層構造とすることができる。多層構造の基底部３は、一部の層を除去して、患者の異なる形状に対応できる。基底部３を成形する消失材料は、表層部２のように無機充填物を充填する必要はない。それは、消失材料で成形した消失模型を、鋳型の内部で完全に消失するからである。
【００１３】
表層部２と基底部３とは互いに分離できるように連結される。ただ、表層部２は金属フレーム７にしっかりと強固に固定する必要がある。このことを実現するために、図に示す人工歯１は、表層部２と基底部３との脱着連結面を凹凸面８としている。この人工歯１は、表層部２を基底部３から外して消失模型として、この消失模型を使用して金属フレーム７を製作する。製作された金属フレーム７には、基底部３と同じ凹凸面８が設けられるので、表層部２はこの凹凸面８に隙間なく嵌合されて、しっかりと固定される。
【００１４】
以上の人工歯１を使用して、以下の工程で架工義歯４が製作される。
（１）  患者の歯形に合わせて製作された模型１０を使用して、支台歯１１の間の歯のない部分に、図８と図９に示すように、表層部２と基底部３とを積層している人工歯１を橋体部５として配設し、この人工歯１の基底部３に、図１０に示すように消失材料を連結して消失模型９を製作する。図１０と図１１の消失模型９は、人工歯１の基底部３の両側に、消失材料で製作している支台装置６を連結した形状としている。
（２）  人工歯１の表層部２を分離した消失模型９を使用して、図１２に示すように、金属フレーム７を鋳造する鋳型１２を製作する。鋳型１２は、消失模型９の周囲を未硬化の状態でペースト状の耐熱成形材で被覆して製作される。製作された耐熱成形材は、これを硬化させた後、加熱して消失模型９を消失させる。この状態で鋳型１２の内部に、図１３に示すように、表層部２を除いた消失模型９と同じ成形室１３ができる。
（３）  鋳型１２の成形室１３に、加熱して溶融状態となった金属を注入して、金属フレーム７を製作する。
（４）  金属フレーム７は、人工歯１の基底部３によって、表層部２に沿う表面形状となっているので、図１４に示すように、ここに分離した人工歯１の表層部２を接着等の方法で固定する。
【００１５】
架工義歯４は、以下のようにして、支台装置６の表面を、天然色の合成樹脂やセラミックで製作することができる。
（１）  人工歯１を使用して消失模型９を製作し、図１５に示すように、支台装置６の表面を除去して、合成樹脂やセラミック等を付着するためのスペース１４を設ける。このスペース１４を設けるために、人工歯１の基底部３から分離した表層部２を使用することもできる。表層部２を使用して消失材料で支台装置６を製作する場合、表層部２を支台装置６の前面に配置して、その裏面に消失材料を付着して消失模型９を製作する。支台装置６の前面に使用される表層部２は、支台装置６の歯の形に成形している人工歯１のものを使用する。
（２）  表層部２を分離した消失模型９を使用して、図１３に示すように、鋳型１２を製作し、この鋳型１２から金属フレーム７を製作する。
（３）  図１６に示すように、金属フレーム７の橋体部５の表面に、分離した表層部２を接着等の方法で固定する。さらに、支台装置６の表面に、表層部２を接着し、あるいは合成樹脂やセラミックを盛り付けて架工義歯４とする。この場合、盛り付ける合成樹脂やセラミックを橋体表層部と同一材料とすることにより、架工義歯外観に一体感を出すことができる。
【００１６】
【発明の効果】
本発明の人工歯は、これを使用することにより、簡単かつ容易に、しかも安価に能率よく架工義歯を製作できる特長がある。それは、本発明の人工歯が、表面を歯形状に成形している表層部と、この表層部に分離できるように連結している基底部とで構成し、この基底部を加熱して消失できる消失材料で成形しているからである。架工義歯は、本発明の人工歯の基底部を使用して簡単に消失模型を製作できる。また、作業者の個人差によらず標準的な歯形の消失模型を作ることができる。さらに製作された消失模型で金属フレームを製作した後、これに基底部から分離された表層部を固定して、能率よく架工義歯を製作できる。
【００１７】
さらに本発明の請求項６の製造方法は、簡単かつ容易に、しかも安価に能率よく標準的な形状の架工義歯を製作できる特長がある。それは、この製造方法が、歯形に成形している表層部に、消失材料で成形している基底部を分離できるように連結している人工歯を使用して、架工義歯を製作するからである。この方法は、人工歯の基底部に消失材料を連結して消失模型を製作し、この消失模型から金属フレームを製作し、この金属フレームに人工歯の表層部を固定して、架工義歯を製造する。とくに、この方法は、橋体部を作業者の個人差によらず標準的な形状として、簡単に能率よく消失模型を製作でき、しかもこの消失模型で製作される金属フレームに、基底部から分離された表層部を固定して架工義歯となる。表層部は、基底部から分離されたものであるから、金属フレームに簡単かつ容易に、しかもぴったりと隙間なくしっかりと固定される。
【図面の簡単な説明】
【図１】歯形の模型の一例を示す正面図
【図２】従来の架工義歯の製造方法で架工義歯の消失模型を製作する工程を示す正面図
【図３】金属フレームの表面を盛り付ける状態を示す断面図
【図４】本発明の一実施例にかかる人工歯の断面図
【図５】図４に示す人工歯の分解断面図
【図６】図４に示す人工歯を使用する架工義歯の正面図
【図７】図６に示す架工義歯の平面図
【図８】消失模型を製作する工程において人工歯を支台歯の間に配設する状態を示す正面図
【図９】消失模型を製作する工程において人工歯を支台歯の間に配設した状態を示す平面図
【図１０】消失模型を製作する工程において人工歯の両側に支台装置を連結する状態を示す平面図
【図１１】消失模型から表層部を分離する状態を示す正面図
【図１２】消失模型を使用して鋳型を製作する工程を示す断面図
【図１３】図１２に示す鋳型を使用して金属フレームを製作する工程を示す断面図
【図１４】金属フレームの橋体部の表面に表層部を接着する工程を示す平面図
【図１５】本発明の他の実施例にかかる架工義歯の製造方法において消失模型の支台装置の表面を除去した状態を示す断面図
【図１６】金属フレームの橋体部と支台装置の表面に表層部を接着する工程を示す平面図
【符号の説明】
１…人工歯
２…表層部
３…基底部
４…架工義歯
５…橋体部
６…支台装置
７…金属フレーム
８…凹凸面
９…消失模型
１０…模型
１１…支台歯
１２…鋳型
１３…成形室
１４…スペース
【図１】
2004148007.tif 000003
【図２】
2004148007.tif 000004
【図３】
2004148007.tif 000005
【図４】
2004148007.tif 000006
【図５】
2004148007.tif 000007
【図６】
2004148007.tif 000008
【図７】
2004148007.tif 000009
【図８】
2004148007.tif 000010
【図９】
2004148007.tif 000011
【図１０】
2004148007.tif 000012
【図１１】
2004148007.tif 000013
【図１２】
2004148007.tif 000014
【図１３】
2004148007.tif 000015
【図１４】
2004148007.tif 000016
【図１５】
2004148007.tif 000017
【図１６】
2004148007.tif 000018